(57)【要約】【課題】複数種の眼鏡フレームを携帯する不便さや複数種の眼鏡フレームの購入が必要であるといった問題を生じさせることなく、装着性を変更可能な眼鏡フレーム、及び、該眼鏡フレームの先セル部の取付け方法を提供することを課題とする。【解決手段】前枠２と、前記前枠２に連結されたテンプル３とを備えた眼鏡フレーム１であって、前記テンプル３は、芯金４と、該芯金４の後端部４２が挿入される挿入孔５１を内側に有する先セル部５とを具備し、前記挿入孔５１は、長手方向に直交する方向の断面が縦長状であり、且つ、前後方向に直線状に延び、前記芯金４は、長手方向に直交する方向の断面が円形状であり、前記芯金４の後端部４２は、側面視で凸状又は凹凸状に湾曲し、縦方向長さＤ２が前記挿入孔５１の縦方向長さＤ３と略同一であることを特徴とする眼鏡フレーム１を提供する。【選択図】図１
2008233634.tif 000002
【特許請求の範囲】
【請求項１】
前枠と、前記前枠に連結されるテンプルとを備える眼鏡フレームであって、
前記テンプルは、芯金と、該芯金の後端部が挿入される挿入孔を内側に有する先セル部とを具備し、
前記挿入孔は、長手方向に直交する方向の断面が縦長状であり、且つ、前後方向に直線状に延び、
前記芯金は、長手方向に直交する方向の断面が円形状であり、
前記芯金の後端部は、側面視で凸状又は凹凸状に湾曲し、縦方向長さが前記挿入孔の縦方向長さと略同一であることを特徴とする眼鏡フレーム。
【請求項２】
前枠と、芯金及び該芯金の後端部が挿入される挿入孔を内側に有する先セル部を具備し、前記前枠に連結されるテンプルとを備える眼鏡フレームにおける前記芯金への前記先セル部の取付け方法であって、
前記挿入孔は、長手方向に直交する方向の断面が縦長状であり、且つ、前後方向に直線状に延び、
前記芯金は、長手方向に直交する方向の断面が円形状であり、
前記芯金の後端部を、縦方向長さが前記挿入孔の縦方向長さと略同一となるように、側面視で凸状又は凹凸状に湾曲するように加工し、
前記芯金の後端部を前記挿入孔に挿入することを特徴とする前記先セル部の取付け方法。
【請求項３】
前枠と、前記前枠に連結されるテンプルとを備える眼鏡フレームであって、
前記テンプルは、芯金と、該芯金の後端部が挿入される挿入孔を内側に有する先セル部とを具備し、
前記挿入孔は、長手方向に直交する方向の断面が縦長状であり、且つ、前後方向に直線状に延び、
前記芯金は、長手方向に直交する方向の断面が縦長状であり、
前記芯金の後端部は、平面視で凸状又は凹凸状に湾曲し、横方向長さが前記挿入孔の横方向長さと略同一であることを特徴とする眼鏡フレーム。
【請求項４】
前枠と、芯金及び該芯金の後端部が挿入される挿入孔を内側に有する先セル部を具備し、前記前枠に連結されるテンプルとを備える眼鏡フレームにおける前記芯金への前記先セル部の取付け方法であって、
前記挿入孔は、長手方向に直交する方向の断面が縦長状であり、且つ、前後方向に直線状に延び、
前記芯金は、長手方向に直交する方向の断面が縦長状であり、
前記芯金の後端部を、横方向長さが前記挿入孔の横方向長さと略同一となるように、平面視で凸状又は凹凸状に湾曲するように加工し、
前記芯金の後端部を前記挿入孔に挿入することを特徴とする前記先セル部の取付け方法。
【発明の詳細な説明】
【技術分野】
【０００１】
本発明は、先セル部の取替え可能な眼鏡フレーム及び該眼鏡フレームの先セル部の取付方法に関する。
【背景技術】
【０００２】
眼鏡フレームは、日常生活時やスポーツ時等の様々な場面において使用される。眼鏡フレームに要求される顔面への装着性（顔面に対する眼鏡フレームのズレ難さなど）は眼鏡フレームの装着場面によって異なる。例えば、日常生活時に比べて激しい動きを伴うスポーツ時には、眼鏡フレームの高い装着性が要求される。このため、日常生活用の眼鏡フレームに対して、スポーツ用の眼鏡フレームは顔面への装着性が高く設計され、スポーツ用の眼鏡フレームは、日常生活用の眼鏡フレームよりもずれ難い。
【０００３】
眼鏡フレームの使用者の中には、日常生活用、スポーツ用などの装着性が異なる複数種の眼鏡フレームを所持し、場面に応じて複数種の眼鏡フレームを使い分けている者もいる。
【０００４】
しかしながら、複数種の眼鏡フレームを使い分けるためには、複数種の眼鏡フレームを携帯する必要があると共に、複数種の眼鏡フレームを購入する必要がある。従って、複数種の眼鏡フレームを使い分けるためには、複数種の眼鏡フレームを携帯する不便さや、複数種の眼鏡フレームの購入が必要であるといった問題がある。
【発明の開示】
【発明が解決しようとする課題】
【０００５】
本発明は、複数種の眼鏡フレームを携帯する不便さや複数種の眼鏡フレームの購入が必要であるといった問題を生じさせることなく、装着性を変更可能な眼鏡フレーム、及び、該眼鏡フレームの先セル部の取付け方法を提供することを課題とする。
【課題を解決するための手段】
【０００６】
本発明は、第１の手段として、前枠と、前記前枠に連結されるテンプルとを備える眼鏡フレームであって、前記テンプルは、芯金と、該芯金の後端部が挿入される挿入孔を内側に有する先セル部とを具備し、前記挿入孔は、長手方向に直交する方向の断面が縦長状であり、且つ、前後方向に直線状に延び、前記芯金は、長手方向に直交する方向の断面が円形状であり、前記芯金の後端部は、側面視で凸状又は凹凸状に湾曲し、縦方向長さが前記挿入孔の縦方向長さと略同一であることを特徴とする眼鏡フレームを提供する。
【０００７】
第１の手段に係る眼鏡フレームは、芯金の後端部が先セル部の挿入孔に挿入されることによって、先セル部が芯金に取付けられる構成である。芯金の後端部は、側面視で凸状又は凹凸状に湾曲し、縦方向長さが先セル部の挿入孔の縦方向長さと略同一である。芯金の後端部と先セル部の挿入孔との縦方向長さが略同一であることで、第１の手段に係る眼鏡フレームの装着時に、装着者の顔面等が動くこと等によって、先セル部が芯金から外れることが防止されている。具体的には、以下のようにして防止される。芯金の後端部の縦方向長さが先セル部の挿入孔の縦方向長さと略同一であると、芯金の後端部が先セル部の挿入孔に挿入された状態では、芯金の後端部と挿入孔を区画する先セル部の内側面とが接する。このため、芯金と先セル部とが相対移動しようとしても、芯金の後端部と先セル部の内側面との間に摩擦力が生じる。この摩擦力によって、装着者の顔面等が動くこと等によって、芯金と先セル部とが相対移動しようとしても、この相対移動が阻止される。芯金と先セル部との相対移動が阻止されることで、芯金の後端部が先セル部の挿入孔から抜け出て、先セル部が芯金から外れることが防止されている。
【０００８】
なお、本発明における「縦方向長さ」とは、本発明に係る眼鏡フレームの装着時における上下方向の長さをいい、具体的には、最上位位置の部分と最下位位置の部分との上下方向の距離を意味する。
【０００９】
また、第１の手段に係る眼鏡フレームは、芯金に対して先セル部が着脱自在であり、先セル部の取替えが可能である。取替えの際の先セル部の芯金からの取外しは、芯金と先セル部とが相対移動しようとするときに生じる摩擦力を上回る力で先セル部を芯金に対して後方に引っ張って、先セル部の挿入孔から芯金を抜き出すことで行うことができる。一方、取替えの際の先セル部の芯金への取付けは、芯金の後端部の後方に先セル部を移動させ、芯金と先セル部とを相対移動させるときに生じる摩擦力を上回る力で先セル部を芯金に対して前方に移動させて、芯金の後端部を先セル部の挿入孔に挿入することで行うことができる。このように第１の手段に係る眼鏡フレームは、先セル部の取替えが可能であるので、先セル部の取替えによって、装着性を変更することができる。よって、第１の手段に係る眼鏡フレームによれは、複数種の眼鏡フレームを携帯する不便さや複数種の眼鏡フレームの購入が必要であるといった問題を解決することが可能である。
【００１０】
また、第１の手段に係る眼鏡フレームの挿入孔は、前後方向に直線状に延びているので、先セル部の取付け及び取外しのために、先セル部を芯金に対して前後方向に移動させる際に、芯金の後端部に先セル部の内側面が引っ掛かり難い。よって、第１の手段に係る眼鏡フレームは、先セル部の取付け及び取外し、即ち、先セル部の取替えを容易に行うことができる。
【００１１】
また、本発明は、第２の手段として、前枠と、芯金及び該芯金の後端部が挿入される挿入孔を内側に有する先セル部を具備し、前記前枠に連結されるテンプルとを備える眼鏡フレームにおける前記芯金への前記先セル部の取付け方法であって、前記挿入孔は、長手方向に直交する方向の断面が縦長状であり、且つ、前後方向に直線状に延び、前記芯金は、長手方向に直交する方向の断面が円形状であり、前記芯金の後端部を、縦方向長さが前記挿入孔の縦方向長さと略同一となるように、側面視で凸状又は凹凸状に湾曲するように加工し、前記芯金の後端部を前記挿入孔に挿入することを特徴とする前記先セル部の取付け方法を提供する。
【００１２】
第２の手段に係る取付け方法によれば、芯金の後端部を側面視で凸状又は凹凸状に湾曲するように加工して芯金の後端部を先セル部の挿入孔に挿入するため、芯金の後端部の加工は、芯金と先セル部とが別体の状態で行うことになる。よって、芯金の後端部を加工する際に、加工の際に生じる力や熱が先セル部に伝わる恐れがない。このため、先セル部が破損しやすい材質や構造であっても、芯金の後端部の加工が先セル部によって制約される恐れがなく、芯金の後端部の加工を容易に行うことができる。
【００１３】
また、本発明は、第３の手段として、前枠と、前記前枠に連結されるテンプルとを備える眼鏡フレームであって、前記テンプルは、芯金と、該芯金の後端部が挿入される挿入孔を内側に有する先セル部とを具備し、前記挿入孔は、長手方向に直交する方向の断面が縦長状であり、且つ、前後方向に直線状に延び、前記芯金は、長手方向に直交する方向の断面が縦長状であり、前記芯金の後端部は、平面視で凸状又は凹凸状に湾曲し、横方向長さが前記挿入孔の横方向長さと略同一であることを特徴とする眼鏡フレームを提供する。
【００１４】
第３の手段に係る眼鏡フレームは、芯金の長手方向に直交する方向の断面が縦長状であり、芯金の後端部が平面視で凸状又は凹凸状に湾曲し、芯金の後端部の横方向長さが先セル部の挿入孔の横方向長さと略同一とである点を除いて第１の手段に係る眼鏡フレームと同一の構成である。第３の手段に係る眼鏡フレームは、芯金の後端部の横方向長さが先セル部の挿入孔の横方向長さと略同一であるため、芯金の後端部が先セル部の挿入孔に挿入された状態では、芯金の後端部が先セル部の内側面と接する。第３の手段に係る眼鏡フレームにおいても、第１の手段に係る眼鏡フレームと同様に、芯金の後端部が先セル部の内側面と接するため、装着時に、先セル部が芯金から外れることが防止される。
【００１５】
なお、本発明における「横方向長さ」とは、本発明に係る眼鏡フレームの装着時における左右方向の長さをいい、具体的には、最も左側の位置の部分と最も右側の位置の部分との左右方向の距離を意味する。
【００１６】
また、第３の手段に係る眼鏡フレームは、第１の手段に係る眼鏡フレームと同様に、芯金に対して先セル部が着脱自在であり、先セル部の取替えが可能である。取替えの際の先セル部の芯金からの取外しは、第１の手段に係る眼鏡フレームと同様に、芯金と先セル部とが相対移動しようとするときに生じる摩擦力を上回る力で先セル部を芯金に対して後方に引っ張って、先セル部の挿入孔から芯金を抜き出すことで行うことができる。一方、取替えの際の先セル部の芯金への取付けも、第１の手段に係る眼鏡フレームと同様に、芯金の後端部の後方に先セル部を移動させ、芯金と先セル部とが相対移動しようとするときに生じる摩擦力を上回る力で先セル部を芯金に対して前方に移動させて、芯金の後端部を挿入孔に挿入することで行うことができる。このように第３の手段に係る眼鏡フレームは、第１の手段に係る眼鏡フレームと同様に、先セル部の取替えが可能であるので、複数種の眼鏡フレームを携帯する不便さや複数種の眼鏡フレームの購入が必要であるといった問題を解決することが可能である。
【００１７】
また、第３の手段に係る眼鏡フレームの挿入孔は、第１の手段に係る眼鏡フレームの挿入孔と同様に、前後方向に直線状の延びているので、先セル部を芯金に対して相対移動させる際に、芯金の後端部に先セル部の内側面が引っ掛かり難い。よって、第３の手段に係る眼鏡フレームも、先セル部の取付け及び取外し、即ち、先セル部の取替えを容易に行うことができる。
【００１８】
また、本発明は、第４の手段として、前枠と、芯金及び該芯金の後端部が挿入される挿入孔を内側に有する先セル部を具備し、前記前枠に連結されるテンプルとを備える眼鏡フレームにおける前記芯金への前記先セル部の取付け方法であって、前記挿入孔は、長手方向に直交する方向の断面が縦長状であり、且つ、前後方向に直線状に延び、前記芯金は、長手方向に直交する方向の断面が縦長状であり、前記芯金の後端部を、横方向長さが前記挿入孔の横方向長さと略同一となるように、平面視で凸状又は凹凸状に湾曲するように加工し、前記芯金の後端部を前記挿入孔に挿入することを特徴とする前記先セル部の取付け方法を提供する。
【００１９】
第４の手段に係る取付け方法によれば、第２の手段に係る取付け方法と同様に、芯金の後端部を加工して芯金の後端部を先セル部の挿入孔に挿入するため、芯金の後端部の加工は、芯金と先セル部とが別体の状態で行うことになる。よって、第４の手段に係る取付け方法によれば、第２の手段に係る取付け方法と同様に、芯金の後端部の加工を容易に行うことができる。
【発明の効果】
【００２０】
本発明によれば、複数種の眼鏡フレームを携帯する不便さや複数種の眼鏡フレームの購入が必要といった問題を生じさせることなく、装着性を変更可能な眼鏡フレーム、及び、該眼鏡フレームの先セル部の取付け方法を提供することができる。
【発明を実施するための最良の形態】
【００２１】
（実施形態１）
図１は本実施形態に係る眼鏡フレーム１の外観図であり、（ａ）は側面図を、（ｂ）は平面図を示す。図１に示すように、眼鏡フレーム１は、前枠２と、前枠２に連結されるテンプル３とを備える。
【００２２】
前枠２は、左右一対のレンズ２１を保持する左右一対のリム部２２と、左右の各リム部２２を連結するブリッジ部２４と、左右の各リム部２２の左右方向の内側部分に取付けられた左右一対の鼻パッド２５とを備えている。
【００２３】
一方、テンプル３は、芯金４と、該芯金４の後端部４２が挿入される挿入孔５１を内側に有する先セル部５とを具備する。
【００２４】
芯金４は、長手方向に直交する方向の断面が円形状の細長部材で形成されている。芯金４は、長手方向が前後方向に向いており、芯金４の前端部４１は、丁番構造８を介して前枠２に回動自在に連結されている。図２は芯金４の後端部４２の側面図であり、（ａ）〜（ｃ）は芯金４の後端部４２の具体例を示す。図２に示すように、芯金４の後端部４２は、側面視で凸状又は凹凸状に湾曲している。側面視で凸状又は凹凸状に湾曲していることで、後端部４２は、眼鏡フレーム１の装着時における、最上位位置ｐ１の部分と最下位位置ｐ２の部分との上下方向の距離（後端部４２の縦方向長さ）Ｄ２が、芯金４を形成する細長部材の長手方向に直交する方向の断面における直径Ｄ１よりも大きくされている。側面視で凹凸状に湾曲した後端部４２の具体例として、図２（ａ）に示すように、上方及び下方に突出する部分４３、４４が交互に繰り返し現れる形状の後端部４２を挙げることができる。また、側面視で凸状に湾曲した後端部４２の具体例として、図２（ｂ）に示すように、上方に突出する部分４３を１つ有する形状の後端部４２や、図２（ｃ）に示すように、下方に突出する部分４４を１つ有する形状の後端部４２を挙げることができる。
【００２５】
図３は先セル部５の形状を示す図であり、（ａ）は先セル部５の前部の拡大側面図を示し、（ｂ）は図３（ａ）のＡ−Ａ断面図を示す。図３に示すように、先セル部５は、芯金４の後端部４２が挿入される挿入孔５１を内側に有する。この挿入孔５１は、先セル部５の前端面５２において開口されており、前方から芯金４の後端部４２を挿入することが可能である。また、図３（ｂ）に示すように、挿入孔５１は、長手方向に直交する方向の断面が縦長状であり、図３（ａ）に示すように、前後方向に直線状に延びている。ここで、縦長状とは、眼鏡フレーム１の装着時において、上下方向（縦方向）長さＤ３が左右方向（横方向）長さＤ４よりも大きい形状を言う。挿入孔５１の縦方向長さＤ３は、芯金４の後端部４２の縦方向長さＤ２と略同一である。また、挿入孔５１の横方向長さＤ４は、芯金４を形成する細長部材の前記直径Ｄ１より長い。
【００２６】
芯金４の後端部４２の縦方向長さＤ２と先セル部５の挿入孔５１の縦方向長さＤ３とが略同一であることで、眼鏡フレーム１の装着時に、装着者の顔面等が動くこと等によって、先セル部５が芯金４から外れることが防止されている。具体的には、以下のようにして防止される。図３（ａ）に示すように、芯金４の後端部４２の縦方向長さＤ２が先セル部５の挿入孔５１の縦方向長さＤ３と略同一であると、芯金４の後端部４２が先セル部５の挿入孔５１に挿入された状態では、芯金４の後端部４２の最上位位置ｐ１及び最下位位置ｐ２の部分と挿入孔５１を区画する先セル部５の内側面５３とが接する。このため、芯金４と先セル部５とが互いに相対移動しようとしても、芯金４の後端部４２と先セル部５の内側面５３との間に摩擦力が生じる。この摩擦力によって、装着者の顔面等が動くこと等によって、芯金４と先セル部５とが相対移動しようとしても、芯金４と先セル部５との相対移動が阻止される。このように、芯金４と先セル部５との相対移動が阻止されることで、芯金４の後端部４２が先セル部５の挿入孔５１から抜け出て、先セル部５が芯金４から外れることが防止される。このように、本実施形態に係る眼鏡フレーム１によれば、側面視で湾曲することにより、芯金４を形成する細長部材の前記径Ｄ１よりも縦方向長さＤ２が大きくされる後端部４２が挿入孔５１の内側面５３に接することで、先セル部５が芯金４から外れることが防止される。よって、本実施形態によれば、芯金４を形成する細長部材の前記径Ｄ１が挿入孔５１の縦方向長さＤ３及び横方向長さＤ４よりも小さい場合であっても、先セル部５が芯金４から外れることを防止することができる。
【００２７】
また、図２に示すように、芯金４の後端部４２の縦方向長さＤ２は、芯金４を形成する細長部材の前記直径Ｄ１よりも大きい。このため、本実施形態に係る眼鏡フレーム１においては、挿入孔５１に芯金４の後端部４２が挿入された状態において、先セル部５が、芯金４の後端部４２を回転軸として回転し難くなっている。
【００２８】
また、先セル部５の芯金４への取付けは、芯金４の後端部４２を側面視で凸状又は凹凸状に湾曲するように加工した後、該芯金４の後端部４２を先セル部５の挿入孔５１に挿入することで行う。よって、芯金４の後端部４２の加工は、芯金４と先セル部５とが別体の状態で行う。芯金４と先セル部５とが別体の状態で、芯金４の後端部４２の加工を行うため、芯金４の後端部４２を加工する際に生じる力や熱が先セル部５に伝わる恐れがない。このため、先セル部５が破損しやすい材質や構造であっても、芯金４の後端部４２の加工が先セル部５によって制約される恐れがなく、芯金４の後端部４２の加工を容易に行うことができる。なお、芯金４の後端部４２の加工は、ペンチなどの専用工具を用いて行うことができる。
【００２９】
また、眼鏡フレーム１は、芯金４に対して先セル部５が着脱自在であり、先セル部５の取替えが可能である。取替えの際の先セル部５の取外しは、芯金４と先セル部５とが相対移動しようとするときに生じる摩擦力を上回る力で先セル部５を芯金４に対して後方に引っ張って、先セル部５の挿入孔５１から芯金４を抜き出すことで行うことができる。一方、取替えの際の先セル部５の取付けは、芯金４の後端部４２の後方に先セル部５を移動させ、芯金４と先セル部５とが相対移動しようとするときに生じる摩擦力を上回る力で先セル部５を前方に移動させて、芯金４の後端部４２を挿入孔５１に挿入することで行うことができる。このように、本実施形態に係る眼鏡フレーム１は、先セル部５の取替えが可能であるので、先セル部５の取替えによって、装着性を変更することができる。よって、本実施形態に係る眼鏡フレーム１によれは、複数種の眼鏡フレームを携帯する不便さや複数種の眼鏡フレームの購入が必要であるといった問題を解消することが可能である。
【００３０】
また、本実施形態に係る眼鏡フレーム１においては、挿入孔５１は、前後方向に直線状に延びている。挿入孔５１が前後方向に直線状に延びているので、先セル部５の取付け及び取外しのために、先セル部５を芯金４に対して前後方向に移動させる際に、芯金４の後端部４２に先セル部５の内側面５３が引っ掛かり難い。よって、本実施形態に係る眼鏡フレーム１は、先セル部５の取付け及び取外し、即ち、先セル部５の取替えを容易に行うことができる。
【００３１】
先セル部５として使用することができる先セル部は、長手方向に直交する方向の断面が縦長状であり、前後方向に直線状に延び、縦方向長さＤ３が芯金４の後端部４２の縦方向長さＤ２と略同一であり、横方向長さＤ４が芯金４を形成する細長部材の前記直径Ｄ１と略同一又はそれ以上の挿入孔５１を内側に有していれば、特に限定されるものでない。例えば、図４に示す先セル部６、７を本実施形態に係る眼鏡フレーム１の先セル部として使用することができる。
【００３２】
図４（ａ）は、先セル部６の側面図を示し、かかる先セル部６は、芯金４に取付けることで、眼鏡フレーム１の装着性を高めることができる。
【００３３】
図４（ａ）に示す先セル部６は、前述の先セル部５と同一構造の先セル部本体６１と、耳の裏側に当接可能な耳当接部６３ａ及び先セル部本体６１の後部と該耳当接部６３ａとを揺動可能に取付けるためのピン又はネジ等の軸部材６７が取付けられた揺動部６３ｂを有する耳当て部材６３と、先セル部本体６１の耳当て部材６３が取付けられる部位（以下、取付部位という）６１ａより前端部側にある所定部６１ｂと耳当接部６３ａの前端部側端部領域６３ｃとを連結する可撓性の絡み防止部材６４とを具備している。なお、図示例では、耳当接部６３ａ、所定部６１ｂ及び絡み防止部材６４は一体的に形成されている。
【００３４】
先セル部本体６１は、前述の先セル部５と同様に、挿入孔５１を有している。先セル部６は、先セル部本体６１が有する挿入孔５１に芯金４の後端部４２を挿入することで、芯金４に取付けることができる。
【００３５】
先セル部６を芯金４に取付けた眼鏡フレーム１を装着した状態で、前枠２がずれ落ちようとすると、テンプル３の後部（先セル部６）外れ上がろうとし、先セル部本体６１に取付けられた耳当て部材６３の耳当接部６３ａが上方へ移動しようとする。そして、耳当て部材６３の耳当接部６３ａが上方へ移動しようとすると、耳当て部材６３の先セル部本体６１に取付けられる部位である揺動部６３ｂ（先セル部本体６１の取付部位６１ａ）に挿通された軸部材６７を中心として耳当接部６３ａは、図４（ａ）において右回りへ回転しようとする。このとき、耳当接部６３ａの前端部側端部領域６３ｃが耳の裏側を押圧する力が大きくなり、その結果、耳当接部６３ａと耳の裏側との相対移動が阻止され、先セル部６のずれ上がりが阻止され、先セル部６のずれ上がりが阻止されることで、前枠２のずれ落ちが阻止される。先セル部６を眼鏡フレーム１の芯金４に取付けると、このようにして眼鏡フレーム１のずれ落ちが阻止されるため、先セル部６を芯金４に取付けることで、眼鏡フレーム１は、比較的高い装着性を有することができる。
【００３６】
また、耳当接部６３ａの長手方向の略中間部に揺動部６３ｂが設けられ、耳当て部材６３の先セル部本体６１に取付けられる部位である揺動部６３ｂ及び先セル部本体６１の取付部位６１ａは、揺動部６３ｂの揺動範囲を規制する規制機構６８が設けられるように構成されると共に、先セル部本体６１と耳当て部材６３の揺動部６３ｂとの取付けには、ピン又はねじ等の軸部材６７が用いられている。規制機構６８は、先セル部本体６１の取付部位６１ａに設けられた当接面６９に耳当て部材６３の支持片６５が当接することにより揺動を規制する構成となっている。
【００３７】
このような規制機構６８を設けることにより、耳当て部材６３の揺動範囲が規制されるため、装着者が眼鏡フレーム１を装着する際に、耳の裏側の適所に耳当て部材６３の耳当接部６３ａを容易に当接させることができ、眼鏡フレーム１の装着をより容易にすることができる。また、軸部材６７を介して耳当て部材６３が先セル部本体６１の取付部位６１ａに取付けられる構成であるため、力の損失が少なく、スムーズな揺動を容易且つ安価に達成することができる。また、軸部材６７の軸回りに規制機構６８を設けることにより、規制機構６８を容易に構成することができる。なお、揺動部６３ｂが軸部材６７に揺動可能に先セル部本体６１に取付けられているが、耳当接部６３ａに孔を開けて軸部材６７を介して耳当接部６３ａを先セル部本体６１に対して揺動可能に取付けてもよい。また、先セル部本体６１の取付部位６１ａは、テンプル３の後端部であるように構成される。この場合、眼鏡フレーム１のテンプル３と耳当て部材６３とが一体ではない構造を有しているにも関わらず、一般的な形状の眼鏡フレーム１を用いてきた装着者であっても違和感なく着用することができる。
【００３８】
また、図４（ａ）に示すように、可撓性の絡み防止部材６４が先セル部本体６１の取付部位６１ａより前端部側にある所定部６１ｂと耳当て部材６３の耳当接部６３ａの前端部側端部領域６３ｃとを連結するように取付けられている。こうすることで、眼鏡フレーム１を外す際に、テンプル３を上方へ持ち上げた場合であっても、先セル部本体６１と耳当接部６３ａの前端部側端部領域６３ｃとの間が絡み防止部材６４で塞がれているため、髪の毛がＱ方向から先セル部本体６１と耳当接部６３ａとの取付部分（揺動部６３ｂ）に入り込みにくく、これに絡まることが抑制される。また、絡み防止部材６４は、可撓性を有しているため、眼鏡フレーム１のずれ落ち防止の機能を阻害することもない。このように、可撓性の絡み防止部材６４によって先セル部本体６１の取付部位６１ａより前端部側にある所定部６１ｂと耳当接部６３ａの前端部側端部領域６３ｃとを連結することにより、鼻に掛かる負担を大きくすることなく眼鏡フレーム１のずれ落ちを防止できると共に、眼鏡フレーム１を外す際に髪の毛の眼鏡フレーム１への絡みを抑制することができる。
【００３９】
図４（ｂ）は、先セル部７の側面図を示し、先セル部７は、芯金４に取付けた際に、前端部が丁番構造８近傍まで延出されていることを除いて、先セル部５と同一の構成とされている。先セル部７は、前端部が丁番構造８近傍まで延出されているため、先セル部７が芯金４に取付けられると、芯金４の略全体が先セル部７の挿入孔５１に挿入される。よって、本実施形態に係る眼鏡フレーム１の先セル部として先セル部７を使用すれば、先セル部７を取替えることでテンプル３の外観を大きく変更することが可能である。
【００４０】
（実施形態２）
図５は本実施形態に係る眼鏡フレーム１の外観図であり、（ａ）は側面図を、（ｂ）は平面図を示す。図５に示すように、本実施形態に係る眼鏡フレーム１は、前枠２と、前枠２に連結されるテンプル３とを備える。テンプル３は、芯金４と、該芯金４の後端部４２が挿入される挿入孔５１を内側に有する先セル部５とを具備する。
【００４１】
前枠２は、実施形態１の前枠２と同一の構成である。
【００４２】
芯金４は、長手方向に直交する方向の断面が縦長状の細長部材で形成されている。縦長状とは、眼鏡フレーム１の装着時において、上下方向（縦方向）長さが左右方向（横方向）長さよりも大きい形状を言う。芯金４を形成する細長部材の長手方向は、前後方向に向いており、芯金４（細長部材）の前端部４１は、丁番構造８を介して前枠２に回動自在に連結されている。図２は、実施形態１に係る芯金４の後端部４２の側面図であるが、実施形態１に係る芯金４の後端部４２の側面視と、本実施形態に係る芯金４の後端部４２の平面視とは、同一形状とすることができるので、本実施形態においては、図２を本実施形態に係る芯金４の後端部４２の平面図として、本実施形態に係る芯金４の後端部４２を説明する。図２に示すように、芯金６の後端部４２は、平面視で凸状又は凹凸状に湾曲している。平面視で凸状又は凹凸状に湾曲していることで、後端部４２は、眼鏡フレーム１の装着時における、最も左側の位置ｐ１の部分と最も右側の位置ｐ２の部分との左右方向の距離（後端部４２の横方向長さ）Ｄ２が、本実施形態の芯金４を形成する細長部材の左右方向（横方向）長さＤ１よりも大きくされている。平面視で凹凸状に湾曲した後端部４２の具体例として、図２（ａ）に示すように、左方及び右方に突出する部分４３、４４が交互に繰り返し現れる形状の後端部４２を挙げることができる。また、平面視で凸状に湾曲した後端部４２の具体例として、図２（ｂ）に示すように、左方に突出する部分４３を１つ有する形状の後端部４２や、図２（ｃ）に示すように、右方に突出する部分４４を１つ有する形状の後端部４２を挙げることができる。
【００４３】
図６は先セル部５の形状を示す図であり、（ａ）は先セル部５の前部の拡大平面図を示し、（ｂ）は図６（ａ）のＢ−Ｂ断面図を示す。図６に示すように、先セル部５は、芯金４の後端部４２が挿入される挿入孔５１を内側に有する。この挿入孔５１は、左右方向（横方向）長さＤ５が芯金４の後端部４２の横方向長さＤ２と略同一であり、縦方向長さＤ６が芯金４の後端部４２の縦方向長さＤ７より長いことを除いて実施形態１に係る挿入孔５１と同一の構成とされている。芯金４の後端部４２の横方向長さＤ２と先セル部５の挿入孔５１の横方向長さＤ５とが略同一であることで、眼鏡フレーム１の装着時に、装着者の顔面等が動くこと等によって、先セル部５が芯金４から外れることが防止されている。具体的には、以下のようにして防止される。芯金４の後端部４２の横方向長さＤ２が先セル部５の挿入孔５１の横方向長さＤ５と略同一であると、芯金４の後端部４２が先セル部５の挿入孔５１に挿入された状態では、芯金４の後端部４２の最も左側の位置ｐ１及び最も右側の位置ｐ２の部分と先セル部５１の内側面５３とが接する。このため、実施形態１で説明したように、芯金４と先セル部５とが互いに相対移動しようとしても、芯金４の後端部４２と先セル部５の内側面５３との間に生じる摩擦力によって、芯金４と先セル部５との相対移動が阻止され、先セル部５が芯金４から外れることが防止される。このように、本実施形態に係る眼鏡フレーム１によれば、平面視で湾曲することにより、芯金４を形成する細長部材の横方向長さＤ１よりも横方向長さＤ２が大きくされる後端部４２が挿入孔５１の内側面５３に接することで、先セル部５が芯金４から外れることが防止される。よって、本実施形態によれば、芯金４を形成する細長部材の横方向長さＤ１が挿入孔５１の横方向長さＤ５より小さい場合、及び、芯金４を形成する細長部材の縦方向長さＤ７が挿入孔５１の縦方向長さＤ６よりも小さい場合であっても、先セル部５が芯金４から外れることを防止することができる。
【００４４】
また、本実施形態に係る眼鏡フレーム１は、実施形態１に係る眼鏡フレームと同様に、先セル部５の芯金４への取付けが、芯金４の後端部４２を平面視で凸状又は凹凸状に湾曲するように加工した後、該芯金４の後端部４２を先セル部５の挿入孔５１に挿入することで行う。よって、本実施形態に係る眼鏡フレームにおいても、芯金４の後端部４２の加工を容易に行うことができる。
【００４５】
また、本実施形態に係る眼鏡フレーム１は、実施形態１に係る眼鏡フレームと同様に、芯金４に対して先セル部５が着脱自在であり、先セル部５の取替えが可能である。先セル部５の取替えは、実施形態１で説明した方法と同様の方法で行うことができる。よって、本実施形態に係る眼鏡フレーム１は、先セル部５の取替えが可能であるので、先セル部５の取替えによって、装着性を変更することができる。従って、本実施形態に係る眼鏡フレーム１によれは、複数種の眼鏡フレームを携帯する不便さや複数種の眼鏡フレームの購入が必要であるといった問題を解消することが可能である。
【００４６】
また、本実施形態に係る眼鏡フレーム１は、実施形態１に係る眼鏡フレーム１と同様に、挿入孔５１が、前後方向に直線状に延びている。よって、先セル部５の取付け及び取外しのために、先セル部５を芯金４に対して前後方向に移動させる際に、芯金４の後端部４２に先セル部５の内側面５３が引っ掛かり難いため、本実施形態に係る眼鏡フレーム１においても、先セル部５の取替えを容易に行うことができる。
【００４７】
本実施形態に係る眼鏡フレーム１の先セル部５として使用することができる先セル部は、長手方向に直交する方向の断面が縦長状であり、前後方向に直線状に延び、横方向長さＤ５が、芯金４の後端部４２の横方向長さＤ２と略同一であり、縦横方向長さＤ６が、芯金４の後端部４２の縦方向長さＤ７と略同一又はそれ以上の挿入孔５１を内側に有していれば、特に限定されるものでない。本実施形態に係る眼鏡フレーム１の先セル部５として使用することができる先セル部として、このような挿入孔５１を有し、挿入孔５１以外の構成については図４（ａ）及び図４（ｂ）を用いて説明した先セル部６、７と同一の先セル部を挙げることができる。
【図面の簡単な説明】
【００４８】
【図１】図１は実施形態１に係る眼鏡フレームの外観図であり、（ａ）は側面図を、（ｂ）は平面図を示す。
【図２】図２は芯金の後端部の側面図であり、（ａ）〜（ｃ）は芯金の後端部の具体例を示す。
【図３】図３は先セル部の形状を示す図であり、（ａ）は先セル部の前部の拡大側面図を示し、（ｂ）は図３（ａ）のＡ−Ａ断面図を示す。
【図４】図４は実施形態１に係る眼鏡フレームの先セル部として使用することができる先セル部の側面図であり、（ａ）は眼鏡フレームの装着性を高めることができる先セル部の側面図を、（ｂ）は前端部が丁番構造近傍まで延出された先セル部の側面図を示す。
【図５】図５は実施形態２に係る眼鏡フレームの外観図であり、（ａ）は側面図を、（ｂ）は平面図を示す。
【図６】図６は先セル部の形状を示す図であり、（ａ）は先セル部の前部の拡大平面図を示し、（ｂ）は図６（ａ）のＢ−Ｂ断面図を示す。
【符号の説明】
【００４９】
１…眼鏡フレーム、２…前枠、３・・テンプル、４…芯金、４２…後端部、５、６・・・先セル部、５１…挿入孔
【図１】
2008233634.tif 000003
【図２】
2008233634.tif 000004
【図３】
2008233634.tif 000005
【図４】
2008233634.tif 000006
【図５】
2008233634.tif 000007
【図６】
2008233634.tif 000008